(57)【特許請求の範囲】
【請求項１】
実際には着信が無いときに、擬似的な着信動作を行う防犯モードに切り替える利用者の操作を検出するモード切替え操作検出手段と、
前記防犯モードへの切替え操作が前記モード切替え操作検出部により検出されると、動作モードを前記防犯モードに切り替えるモード切替え手段を有し、更に、
前記防犯モードにおいて、危険を知らせる防犯ベル音を発生させるための操作を検出する防犯ベル操作検出手段と、
前記防犯ベル音を発生させるための操作が前記防犯ベル操作検出手段により検出されると、前記防犯ベル音を発生する防犯ベル送出手段を有する携帯電話機。
【請求項２】
前記防犯モードにおいて前記擬似的な着信に用いる防犯用の着信音を記憶した送出音記憶手段と、
前記防犯モードにおいて、擬似的な着信を指示する前記利用者の操作を検出する疑似着信操作検出手段と、
前記擬似的な着信を指示する操作が前記疑似着信操作検出手段により検出されると、前記防犯用の着信音の鳴動を開始する着信音鳴動開始手段と、
前記防犯用の着信音の鳴動中に、前記利用者による前記擬似的な着信に応答する操作を検出する疑似応答操作検出手段と、
前記擬似的な着信に応答する操作が前記疑似応答操作検出手段により検出されると、前記防犯用の着信音の鳴動を停止する疑似通話開始手段を更に有する請求項１記載の携帯電話機。
【請求項３】
前記防犯モードへの切替え操作が１回のボタン操作である、請求項１または２に記載の携帯電話機。
【請求項４】
前記擬似的な着信を指示する操作と、前記擬似的な着信に応答する操作とがそれぞれ１回のボタン操作である、請求項２に記載の携帯電話機。
【請求項５】
前記防犯ベル音を発生させるための操作が１回のボタン操作である、請求項１から４のいずれか１項に記載の携帯電話機。
【発明の詳細な説明】
【０００１】
【発明の属する技術分野】
本発明は、携帯電話機に関し、特に、防犯機能を有する携帯電話機に関する。
【０００２】
【従来の技術】
近年、ストーカーや痴漢、引ったくり、強盗など悪質な犯罪が増加し、治安の悪化が社会問題となっている。そのような状況の中で防犯対策や痴漢対策の様々な商品が考えられており、また多くの防犯商品等が実際に販売されている。例えば、警報ベルや催涙スプレーなどの防犯商品が従来から販売されている。
【０００３】
このような従来の防犯商品は、利用者が実際に事件に巻き込まれた場合、或はそれに近い相当に危険な状況となった場合に使用されるべきものである。そのような状況で使用されると、これらの商品は大きな効果を発揮する。
【０００４】
それほど危険な状況に至っていないが、夜道で後ろから怪しい人物が近づいてきた場合や近くにいる人物の行動が怪しい場合など身の危険に関する不安が生じる場合がある。また、夜道を１人で歩く場合それだけで不安なものである。これらのような場合に簡易的な防犯対策手段として携帯電話機が利用されることがある。
【０００５】
近年、携帯電話機は広く一般に普及しており多くの人が常時携帯している。女性が深夜に人気の無い道を通って帰宅する場合など、携帯電話機で誰かと電話しながら歩くことにより、犯罪を試みようとしていた相手に警戒させることができる。
【０００６】
また、近くにいる人が自分に危害を加えようとしている気配を感じたときに、携帯電話機で誰かに電話をかけて自分のいる場所などを自然に話すことにより相手を威嚇することができる。この方法は警報ベルや催涙スプレーなどの従来の防犯商品と異なり、実際には危害を加える気が相手になかった場合にも問題が生じないので気軽に利用可能である。
【０００７】
また、携帯電話機は従来からワンタッチで所望の相手先に電話をかける機能を有している。この機能が防犯対策のために利用されることもある。例えば、携帯電話機の利用者は人気の無い道を歩くとき、すぐに警察などに電話できるように予め準備しておくことができる。そして、もし実際に危険な状況となった場合に、利用者はボタン１つの操作により警察などに電話をかけることができる。
【０００８】
【発明が解決しようとする課題】
利用者はいつ起きるか分からない緊急時に備えて、すぐ使用可能なように、常時、これを携帯している必要がある。しかし、警報ベルや催涙スプレーのような従来の防犯商品はその性質上頻繁に使用されるものではない。そのため、利用者は防犯商品を携帯する必要性を感じにくく、期間が経つにつれて携帯されなくなるケースが多い。
【０００９】
また、携帯電話で電話をかけることによる防犯対策において、既に危険な状況では電話しようとする行動により相手を刺激して逆上させてしまい、かえって状況が悪化してしまう可能性がある。また逆に、警察などに通報するほどでない場合もあり、通報するか否かの判断が難しい。
【００１０】
本発明の目的は、様々な状況で使用可能な防犯機能を有する携帯電話機を提供することである。
【００１１】
【課題を解決するための手段】
上記目的を達成するために、本発明の携帯電話機は、実際には着信が無いときに、擬似的な着信動作を行う防犯モードに切り替える利用者の操作を検出するモード切替え操作検出手段と、
前記防犯モードへの切替え操作が前記モード切替え操作検出部により検出されると、動作モードを前記防犯モードに切り替えるモード切替え手段を有している。
【００１２】
本発明の携帯電話機は、利用者の通常の使用のために設定された通常の動作モードの他に、防犯目的で行う擬似的な着信動作に適した防犯モードを有しているので、利用者は、通常時のために自分の好みに合った或は周りの人に迷惑をかけないような動作モードを設定し、相手を威嚇したいときのために防犯モードを設定し、モード切替え操作検出手段とモード切替え手段により目的に応じて動作モードを選択して疑似着信を行うことができる。
【００１３】
本発明の実施態様によれば、前記防犯モードにおいて前記擬似的な着信に用いる防犯用の着信音を記憶した送出音記憶手段と、
前記防犯モードにおいて、擬似的な着信を指示する前記利用者の操作を検出する疑似着信操作検出手段と、
前記擬似的な着信を指示する操作が前記疑似着信操作検出手段により検出されると、前記防犯用の着信音の鳴動を開始する着信音鳴動開始手段と、
前記防犯用の着信音の鳴動中に、前記利用者による前記擬似的な着信に応答する操作を検出する疑似応答操作検出手段と、
前記擬似的な着信に応答する操作が前記疑似応答操作検出手段により検出されると、前記防犯用の着信音の鳴動を停止する疑似通話開始手段を更に有している。
【００１４】
本態様の携帯電話機は、通常の使用のために設定された着信音の他に、相手を有効に威嚇する着信音を防犯モードとして送出音記憶手段にて記憶することができ、利用者が目的に応じて動作モードを選択可能であるので、利用者は通常は自分の好みに合った或は周りの人に迷惑をかけないような着信動作を選択しておき、着信により相手を威嚇したいときには防犯モードを選択し、疑似着信操作検出手段と着信音鳴動開始手段により疑似着信を行い、疑似応答操作検出手段と疑似通話開始手段により擬似的な通話を行うことができる。
【００１５】
本発明の実施態様によれば、前記防犯モードにおいて、危険を知らせる防犯ベル音を発生させるための操作を検出する防犯ベル操作検出手段と、
前記防犯ベル音を発生させるための操作が前記防犯ベル操作検出手段により検出されると、前記防犯ベル音を発生する防犯ベル送出手段を更に有している。
【００１６】
本態様によれば、利用者が危険な状況となった場合に、防犯ベル操作検出手段と防犯ベル送出手段により、常時携帯している携帯電話機の容易な操作で防犯ベル音を発生させることができるので、利用者は防犯ベルを発生させるための防犯機器を別途携帯する必要がない。
【００１７】
本発明の実施態様によれば、前記防犯モードへの切替え操作が１回のボタン操作である。
【００１８】
本発明の実施態様によれば、前記擬似的な着信を指示する操作と、前記擬似的な着信に応答する操作とがそれぞれ１回のボタン操作である。
【００１９】
本発明の実施態様によれば、前記防犯ベル音を発生させるための操作が１回のボタン操作である。
【００２０】
【発明の実施の形態】
通常の携帯電話機は発信時やメール受信時、メール作成時などに周りの人に迷惑をかけないようにするために、操作確認音を発しないような設定が可能である。また、通常の携帯電話機は着信音の音量を小さくすることもでき、また、振動で着信を知らせ着信音を発しないようにすることもできる。
【００２１】
本発明の実施形態の携帯電話機は、通常の通話やメール送受信に利用されるモード（通常モード）の他に、防犯のために利用されるモード（防犯モード）を有する。この防犯モードを用いれば、実際には着信が無い場合に、利用者はあたかも着信があり音声による通話を行っているように振る舞うことができる。
【００２２】
そして、通常モードでは着信音が消されていたり小音量とされている場合でも、防犯モードにおける擬似的な着信（疑似着信）の着信音は予め設定した大音量のものとすることができる。利用者が擬似着信に対して応答（疑似応答）の操作を行うと疑似着信の鳴動が停止し、利用者は擬似的な通話（疑似通話）を開始することができる。また、このとき本実施形態の携帯電話機は実際の通話時と同様のディスプレイ画面の表示をすることができる。
【００２３】
通常モードの他に防犯モードを有する本実施形態の携帯電話機によれば、通常は着信音などの発生を抑えて周囲の人に迷惑をかけないようにし、防犯時には威嚇のため周囲の人に着信音が聞こえるように大音量にすることができる。多くの人が常時携帯している携帯電話機を利用して防犯対策を行うことが可能である。
【００２４】
本発明の一実施形態について図面を参照して詳細に説明する。
【００２５】
図１は本実施形態の携帯電話機の構成を示すブロック図である。
【００２６】
本実施形態の携帯電話機は操作部１、制御部２、メッセージ記憶部３、メッセージ表示部４、送出音記憶部５、スピーカ６及びマイク７を有している。
【００２７】
操作部１はモード切替え操作部１１、疑似着信操作部１２、疑似応答操作部１３、時宜切断操作部１４及び防犯ベル操作部１５を有している。ここでは、一例としてモード切替え操作部１１、疑似着信操作部１２、疑似応答操作部１３、時宜切断操作部１４及び防犯ベル操作部１５は利用者が押下するためのボタンスイッチであるとする。
【００２８】
操作部１は利用者が携帯電話機に所望の動作をさせるための操作部である。
【００２９】
モード切替え操作部１１は利用者の操作により本携帯電話機を防犯モードに設定するよう制御部２に指示する。疑似着信操作部１２は利用者の操作により制御部２に疑似着信の着信音を発生するよう指示する。疑似応答操作部１３は利用者の操作により制御部２に疑似着信の着信音を停止するように指示する。疑似切断操作部１４は利用者の操作により制御部２に疑似通話を終了するよう指示する。防犯ベル操作部１５は利用者の操作により制御部２に防犯ベル音の発生を指示する。
【００３０】
制御部２は利用者の操作部１の操作に従って各部を制御する。
【００３１】
図２を参照すると制御部２はモード切替え操作検出部２１、モード切替え部２２、疑似着信操作検出部２３、着信音鳴動開始部２４、疑似応答操作検出部２５、疑似通話開始部２６、切断操作検出部２７、疑似通話切断部２８、防犯ベル操作検出部２９及び防犯ベル送出部３０を有している。
【００３２】
モード切替え操作検出部２１は利用者のモード切替え操作部１１に対する操作を検出し、モード切替え部２２へ通知する。
【００３３】
モード切替え部２２はモード切替え操作検出部２１からの通知に従って本携帯電話機の設定を防犯モードに切り替える。
【００３４】
疑似着信操作検出部２３は利用者の疑似着信操作部１２に対する操作を検出し、着信音鳴動開始部２４に通知する。
【００３５】
着信音鳴動開始部２４は疑似着信操作検出部２３からの通知に従って防犯モードの着信音として予め設定された着信音の鳴動を開始する。
【００３６】
疑似応答操作検出部２５は利用者の疑似応答操作部１３に対する操作を検出し、疑似通話開始部２６に通知する。
【００３７】
疑似通話開始部２６は疑似応答操作検出部２５からの通知に従って着信音の鳴動を停止する。また、疑似通話開始部２６は、このとき、メッセージ記憶部３に予め記録された疑似着信時用のメッセージをメッセージ表示部４に表示してもよい。また、疑似通話開始部２６は、このとき、送出音記憶部５に予め記録された通話相手の疑似音声等をスピーカ６から発生させてもよい。
【００３８】
切断操作検出部２７は利用者の疑似切断操作部１４に対する操作を検出し、疑似通話切断部２８に通知する。
【００３９】
疑似通話切断部２８は切断操作検出部２７は切断操作検出部２７からの通知に従って疑似通話を終了する。疑似通話切断部２８は、このとき、メッセージ記憶部３に予め記録された疑似通話終了時用のメッセージをメッセージ表示部４に表示してもよい。
【００４０】
防犯ベル操作検出部２９は利用者の防犯ベル操作部１５に対する操作を検出し、防犯ベル送出部３０に通知する。
【００４１】
防犯ベル送出部３０は防犯ベル操作検出部２９からの通知に従って送出音記憶部５に予め記録された防犯ベル音をスピーカ６から発生させる。
【００４２】
メッセージ記憶部３は、利用者により予め設定された疑似着信時用及び疑似通話終了時用のメッセージを記憶する。
【００４３】
メッセージ表示部４は、制御部２による制御に従ってメッセージ記憶部３に予め記録されたメッセージをディスプレイ画面に表示する。
【００４４】
送出音記憶部５は、通常モードの着信音の他に疑似着信の着信音として用いる送出音のデータを記憶している。また、送出音記憶部５は、製造時から予め設定された、或はその後利用者により録音された疑似音声や防犯ベル音等の送出音のデータを記憶する。
【００４５】
スピーカ６は制御部２からの制御により送出音記憶部５に予め記録された送出音を発生させる。
【００４６】
マイク７は利用者が送出音を録音する際に利用される。
【００４７】
図３は疑似通話時の本携帯電話機の動作を示すフローチャートである。本携帯電話機の疑似着信の動作について説明する。
【００４８】
先ず、利用者がモード切替え操作部１１を押下すると、本携帯電話機はモード切替え操作検出部２１でそれを検出し、モード切替え部２２に通知する（ステップ１０１）。次に、本携帯電話機は、通知を受けたモード切替え部２２により、動作モードを防犯モードに切り替える（ステップ１０２）。
【００４９】
次に、防犯モードにおいて、利用者が疑似着信操作部１２を押下すると、本携帯電話機は疑似着信操作検出部２３でそれを検出し、着信音鳴動開始部２４に通知する（ステップ１０３）。次に、本携帯電話機は、通知を受けた着信音鳴動開始部２４により、疑似着信用の着信音をスピーカ６から発生させる（ステップ１０４）。この着信音は利用者の近くにいる相手を威嚇するために、大きい音量の着信音であることが望ましい。
【００５０】
次に、利用者が疑似応答操作部１３を押下すると、本携帯電話機は疑似応答操作検出部２５でそれを検出し、疑似通話開始部２６に通知する（ステップ１０５）。次に、本携帯電話機は、通知を受けた疑似通話開始部２６により、着信音の鳴動を停止し、疑似通話の状態となる（ステップ１０６）。このとき、本携帯電話機はメッセージ記憶部３に予め記録されたメッセージをメッセージ表示部４のディスプレイ画面に表示してもよい。また、疑似通話の状態では、本携帯電話機は送出音記憶部５に予め記録された疑似音声をスピーカ５から発生させてもよい。
【００５１】
次に、利用者が疑似切断操作部１４を押下すると、本携帯電話機は切断総さん検出部２７でそれを検出し、疑似通話切断部２８に通知する（ステップ１０７）。次に、本携帯電話機は、通知を受けた疑似通話切断部２８により、疑似通話を終了する（ステップ１０８）。
【００５２】
したがって、本実施形態の携帯電話機は、防犯モードにおいて、利用者の所望により周囲に聞こえるように着信音を発生し、利用者の実際の着信時と同様の操作による疑似通話を可能とする。本実施形態の携帯電話機を用いれば、利用者は疑似着信音及び疑似通話により相手を威嚇することができるので、発信しようとする行為により相手を逆上させることなく犯罪を未然に防ぐことができる。
【００５３】
本携帯電話機の防犯ベル機能の動作について説明する。
【００５４】
利用者が防犯ベル操作部１５を押下すると、本携帯電話機は防犯ベル操作検出部２９でそれを検出し、防犯ベル送出部３０に通知する。次に、本携帯電話機は、通知を受けた防犯ベル送出部３０により、防犯ベルをスピーカ６から発生する。なお、防犯ベルは周囲にいる相手を威嚇するのみでなく、その他の人の注意を引くことをも目的としているので、防犯ベル音は非常に大きな音量であることが望ましい。
【００５５】
したがって、利用者が危険な状況となった場合に携帯電話機のボタン１つの操作により防犯ベル音を発生させることができるので、利用者は防犯ベルを発生させるための防犯機器を別途携帯する必要がない。
【００５６】
なお、本携帯電話機は、防犯モード時に実際の着信があった場合、通常モードの着信音を発生するものであってもよく、また防犯モードの着信音を発生するものであってもよい。
【００５７】
また、本携帯電話機は、防犯モードにおいては、１つのボタン押下により警察に電話をかけることができるものであってもよい。
【００５８】
また、本携帯電話機は、疑似通話時に実際の着信があった場合、その着信を拒絶するものであってもよく、また通常通り着信動作を行ってもよい。また、着信音を発生させず、振動等により、疑似通話時の着信を利用者に知らせてもよい。
【００５９】
また、本携帯電話機の制御部２は、一例として、モード切替え操作部２１、モード切替え部２２、疑似着信操作検出部２３、着信音鳴動開始部２４、疑似応答操作検出部２５疑似通話開始部２６、切断操作検出部２７、疑似通話切断部２８、防犯ベル操作検出部２９及び防犯ベル送出部３０の機能を有するソフトウェアプログラムを実行するプロセッサである。
【００６０】
【発明の効果】
本発明の携帯電話機は、利用者の通常の使用のために設定された通常の動作モードの他に、防犯目的で行う擬似的な着信動作に適した防犯モードを有しているので、利用者は通常は自分の好みに合った或は周りの人に迷惑をかけないような動作モードを選択しておき、相手を威嚇したいときに防犯モードを選択して疑似着信を行うことができるので、普段から常時携帯している携帯電話機により容易に相手を威嚇することができ、防犯ベル等の防犯機器を別途携帯しなくてよく、また、携帯電話機は通常取り出し易いように携帯されるので、防犯目的で使用する場合にも容易に取り出し可能である。
【００６１】
また、本発明の携帯電話機は、通常の使用のために設定された着信音の他に、相手を有効に威嚇する着信音を防犯モードとして記憶することができ、利用者が目的に応じて動作モードを選択可能であるので、利用者は通常は自分の好みに合った或は周りの人に迷惑をかけないような着信動作を選択しておき、相手を威嚇したいときには防犯モードを選択して疑似着信及び疑似通話を行うことができるので、有効に威嚇するような着信音を発生することができ、疑似通話により相手を警戒させることができ、また、発信の行為により相手を逆上させることもなく、犯罪を未然に防ぐことができる。
【００６２】
また、本発明の携帯電話機によれば、利用者が危険な状況となった場合に、常時携帯している携帯電話機の容易な操作により防犯ベル音を発生させることができるので、利用者は防犯ベルを発生させるための防犯機器を別途携帯する必要がない。
【図面の簡単な説明】
【図１】本実施形態の携帯電話機の構成を示すブロック図である。
【図２】本実施形態の制御部の構成を示すブロック図である。
【図３】疑似通話時の本携帯電話機の動作を示すフローチャートである。
【符号の説明】
１    操作部
２    制御部
３    メッセージ記憶部
４    メッセージ表示部
５    送出音記憶部
６    スピーカ
７    マイク
１１    モード切替え操作部
１２    疑似着信操作部
１３    疑似応答操作部
１４    時宜切断操作部
１５    防犯ベル操作部
２１    モード切替え操作検出部
２２    モード切替え部
２３    疑似着信操作検出部
２４    着信音鳴動開始部
２５    疑似応答操作検出部
２６    疑似通話開始部
２７    切断操作検出部
２８    疑似通話切断部
２９    防犯ベル操作検出部
３０    防犯ベル送出部
１０１〜１０８    ステップ
【図１】
0004147374.tif 000002
【図２】
0004147374.tif 000003
【図３】
0004147374.tif 000004